(57)【要約】【課題】  設定変更を禁止できる時間帯を予め設定し、その時間帯を監視することで、営業中に行われる不正行為による設定変更を防止する。【解決手段】  遊技機における不正行為防止方法は、設定コマンドを受信した時刻を前記タイマーで特定するステップと（Ｓ４）、前記特定された時刻と、前記設定変更時間帯記憶部に記憶された設定変更時間帯の情報とを前記設定変更時間帯判断部で比較するステップと（Ｓ５）、前記時刻が設定変更不可時間帯に該当する場合には不正な設定変更処理であると判断してエラー処理を行い（Ｓ７）、前記時刻が設定変更不可時間帯に該当しない場合には正規な設定変更処理であると判断して設定変更処理を行う（Ｓ６）ステップとを含む。【選択図】        図５
2005066305.tif 000002
【特許請求の範囲】
【請求項１】
内部動作に関する設定変更を行うための設定用スイッチと、前記設定用スイッチが操作されたときに予め定められた手順に従い設定変更を行う制御部とを備える遊技機であって、
内部動作に関する設定変更が通常の設定変更の手順により可能な設定変更可能時間帯、又は、設定変更が不可能もしくは前記通常の設定変更の手順と異なる特別な手順によってのみ内部動作に関する設定変更が可能な設定変更不可時間帯の少なくともいずれかに関する情報を記憶する設定変更時間帯記憶部と、設定変更要求を受信した時刻と前記設定変更時間帯記憶部の情報を比較し、前記設定変更要求の受信時刻が設定変更不可時間帯に該当しない場合に前記制御部に設定変更処理を実行させる設定変更時間帯判断部とを備えることを特徴とする遊技機。
【請求項２】
前記設定変更時間帯判断部は、設定変更不可時間帯に該当する場合には前記設定変更要求を不正なものであると判断してエラー処理を行うことを特徴とする請求項１記載の遊技機。
【請求項３】
前記設定変更時間帯記憶部は、遊技機が設置されているホールの営業時間に合わせた時間帯の情報を記憶することを特徴とする請求項１又は請求項２記載の遊技機。
【請求項４】
前記設定変更時間帯記憶部の情報は、曜日、年月日などのカレンダー情報を含むことを特徴とする請求項１〜３のいずれか１項記載の遊技機。
【請求項５】
前記設定変更時間帯記憶部は、電源投入時又は通常の設定変更の手順により設定変更処理を実行した時を基準として予め定められた時間を設定変更不可時間帯として記憶することを特徴とする請求項１又は請求項２記載の遊技機。
【請求項６】
通常の設定変更の手順と異なる特別な手順を記憶する特別手順記憶部を備え、前記設定変更時間判断部により設定変更不可時間帯に該当すると判断された場合において、前記制御部は受け付けた操作手順を前記特別手順記憶部の手順と比較し、これらが一致したときに設定変更処理を実行することを特徴とする請求項１乃至請求項５いずれかに記載の遊技機。
【請求項７】
内部動作に関する設定変更を行うための設定用スイッチと、前記設定用スイッチが操作されたときに予め定められた手順に従い設定変更を行う制御部とを備える遊技機における不正行為防止方法であって、
設定変更要求を受信した時刻を特定するステップと、
前記設定変更要求の受信時刻を、予め記憶された設定変更可能時間帯の情報又は設定変更不可時間帯の情報の少なくともいずれかと比較するステップと、
前記設定変更要求の受信時刻が、前記設定変更不可時間帯に該当しない場合に設定変更処理を実行するステップとを備えることを特徴とする遊技機における不正行為防止方法。
【請求項８】
前記設定変更要求の受信時刻が、前記設定変更不可時間帯に該当する場合には前記設定変更要求を不正なものであると判断してエラー処理を行うステップを備えることを特徴とする請求項７記載の遊技機における不正行為防止方法。
【請求項９】
電源投入時又は通常の設定変更の手順により設定変更処理を実行した時を基準として予め定められた時間を前記設定変更不可時間帯として設定するステップを備えることを特徴とする請求項７又は請求項８記載の遊技機における不正行為防止方法。
【請求項１０】
通常の設定変更の手順と異なる特別な手順を特別手順として設定するステップと、
前記設定変更要求の受信時刻が設定変更不可時間帯に該当する場合において、受け付けた操作手順を前記特別手順と比較し、これらが一致したときに設定変更処理を実行するステップとを備えることを特徴とする請求項７乃至請求項９いずれかに記載の遊技機における不正行為防止方法。
【請求項１１】
内部動作に関する設定変更を行うための設定用スイッチと、前記設定用スイッチが操作されたときに予め定められた手順に従い設定変更を行う制御部とを備える遊技機の制御プログラムであって、
設定変更要求を受信した時刻を特定するステップと、
前記設定変更要求の受信時刻を、予め記憶された設定変更可能時間帯の情報又は設定変更不可時間帯の情報の少なくともいずれかと比較するステップと、
前記設定変更要求の受信時刻が、前記設定変更時間帯の設定変更不可時間帯に該当しない場合に設定変更処理を実行するステップとをコンピュータに実行させるためのプログラム。
【発明の詳細な説明】
【技術分野】
【０００１】
この発明は、スロットマシン等の遊技機及び遊技機における不正行為防止方法並びにプログラムに関する。
【背景技術】
【０００２】
スロットマシン等の遊技機は、遊技者が所定の枚数のメダルを遊技機に投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
遊技機は、抽選処理や払出処理を行うメイン基板と演出等を行うサブ基板とを備える。遊技機は、基本的に絵柄が揃ったときにメダルを払い出すものであるが、絵柄が揃うかどうかはメイン基板内部のコンピュータによる抽選の結果に従う。また、ビッグボーナス、レギュラーボーナス、小役などのさまざまな賞も内部のコンピュータによる抽選の結果に従う。抽選の処理の内容は所定の範囲内で設定可能であり、遊技機が設置されるホールなどにおいて店側により設定作業が行われる。設定変更は、遊技機の扉を開け、電源部に設けられた設定キースイッチをオンにし、設定変更スイッチを押す等の所定の操作を行う、などの手順により行われた。
【発明の開示】
【発明が解決しようとする課題】
【０００４】
遊技者のごく一部に不正行為（いわゆるゴト行為）を行う者がいた。例えば、設定操作を不正に行うことにより、遊技機の設定を自己に有利なものに不正に変更する者がいた。遊技機の扉には鍵が設けられて容易に開閉できないようになっているとともに、設定キースイッチの操作のためにも鍵が必要であるが、不正行為を行う者は扉に穴を開け、設定キースイッチの配線に工作を加えることにより、不正設定を行っているようである。
【０００５】
さらに、サブ基板ではメイン基板からの設定変更要求を受信すると、必ず設定変更状態に移行していた。そのため、営業時間中の不正行為による設定変更が行われたとしても、通常の設定変更と同様の動作を行ってしまい、不正行為を発見することができなかった。
【０００６】
この発明は、斯かる不正行為を店側の意思によって未然に防ぐことを可能にする遊技機及び遊技機における不正行為防止方法並びにプログラムを提供することを目的とする。
【課題を解決するための手段】
【０００７】
この発明は、内部動作に関する設定変更を行うための設定用スイッチと、前記設定用スイッチが操作されたときに予め定められた手順に従い設定変更を行う制御部とを備える遊技機であって、
内部動作に関する設定変更が通常の設定変更の手順により可能な設定変更可能時間帯、又は、設定変更が不可能であるかもしくは前記通常の設定変更の手順と異なる特別な手順によってのみ内部動作に関する設定変更が可能な設定変更不可時間帯の少なくともいずれかに関する情報を記憶する設定変更時間帯記憶部と、設定変更要求を受信した時刻と前記設定変更時間帯記憶部の情報を比較し、前記設定変更要求の受信時刻が設定変更不可時間帯に該当しない場合に前記制御部に設定変更処理を実行させる設定変更時間帯判断部とを備えることを特徴とするものである。
【０００８】
好ましくは、前記設定変更時間帯判断部は、設定変更不可時間帯に該当する場合には前記設定変更要求を不正なものであると判断してエラー処理を行う。
【０００９】
好ましくは、前記設定変更時間帯記憶部は、遊技機が設置されているホールの営業時間に合わせた時間帯の情報を記憶する。
【００１０】
例えば、遊技機が設置されているホールの営業時間に合わせて時間帯を設定する
例えば、曜日ごとに設定変更が可能であるか又は不可能であるかに係る情報を設定する。
例えば、カレンダーに基づき設定変更が可能であるか又は不可能であるかに係る情報を設定する。
【００１１】
好ましくは、前記設定変更時間帯記憶部は、電源投入時又は通常の設定変更の手順により設定変更処理を実行した時を基準として予め定められた時間を設定変更不可時間帯として記憶する。記憶に限定されず、電源投入時又は通常の設定変更の手順により設定変更処理を実行した時を基準として予め定められた時間だけ特定の信号を出力するようにしてもよい。
【００１２】
好ましくは、通常の設定変更の手順と異なる特別な手順を記憶する特別手順記憶部を備え、前記設定変更時間判断部により設定変更不可時間帯に該当すると判断された場合において、前記制御部は受け付けた操作手順を前記特別手順記憶部の手順と比較し、これらが一致したときに設定変更処理を実行する。
【００１３】
この発明は、内部動作に関する設定変更を行うための設定用スイッチと、前記設定用スイッチが操作されたときに予め定められた手順に従い設定変更を行う制御部とを備える遊技機における不正行為防止方法であって、
設定変更要求を受信した時刻を特定するステップと、
前記設定変更要求の受信時刻を、予め記憶された設定変更可能時間帯の情報又は設定変更不可時間帯の情報の少なくともいずれかと比較するステップと、
前記設定変更要求の受信時刻が、前記設定変更不可時間帯に該当しない場合に設定変更処理を実行するステップとを備えるものである。
【００１４】
さらに、前記設定変更要求の受信時刻が、前記設定変更不可時間帯に該当する場合には前記設定変更要求を不正なものであると判断してエラー処理を行うステップを備えてもよい。
【００１５】
さらに、電源投入時又は通常の設定変更の手順により設定変更処理を実行した時を基準として予め定められた時間を前記設定変更不可時間帯として設定するステップを備えてもよい。
【００１６】
さらに、
通常の設定変更の手順と異なる特別な手順を特別手順として設定するステップと、
前記設定変更要求の受信時刻が設定変更不可時間帯に該当する場合において、受け付けた操作手順を前記特別手順と比較し、これらが一致したときに設定変更処理を実行するステップとを備えてもよい。
【００１７】
この発明は、内部動作に関する設定変更を行うための設定用スイッチと、前記設定用スイッチが操作されたときに予め定められた手順に従い設定変更を行う制御部とを備える遊技機の制御プログラムであって、
設定変更要求を受信した時刻を特定するステップと、
前記設定変更要求の受信時刻を、予め記憶された設定変更可能時間帯の情報又は設定変更不可時間帯の情報の少なくともいずれかと比較するステップと、
前記設定変更要求の受信時刻が、前記設定変更時間帯の設定変更不可時間帯に該当しない場合に設定変更処理を実行するステップとをコンピュータに実行させるためのプログラムである。
【００１８】
この発明に係るプログラムは、例えば、記録媒体に記録される。
記憶媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１９】
また、電話回線等の有線通信媒体、マイクロ波回線等の無線通信媒体等の通信媒体を含む。インターネットもここでいう通信媒体に含まれる。
【００２０】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００２１】
この発明は、設定変更を禁止できる時間帯を予め設定し、その時間帯を監視することで、営業中に行われる不正行為による設定変更を防止するものである。この発明によれば、設定変更を禁止できる時間帯を予め設定し、その時間帯を監視することで、営業中に行われる不正行為による設定変更を防止することができるという効果を奏する。
【発明を実施するための最良の形態】
【００２２】
発明の実施の形態１．
この発明の実施の形態に係るスロットマシン及びその不正行為の防止方法について図面を参照して説明する。
【００２３】
図１は前扉を閉めた状態を示すスロットマシンの正面図、図２は前扉を１８０度開いた状態を示すスロットマシンの正面図を示す。
【００２４】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルをスロットマシン１００外に強制的に排出するためのリジェクトボタン１３３が設けられている。
【００２５】
また、前記ゲーム表示部１３１の左下方には、ゲームを開始するためのスタートボタン１３４を設けてあり、３つのリールのそれぞれに対応して３つのストップボタン１４０を設けてある。前扉の下端部中央には、メダルの払出し口１３５を設けてある。スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ホッパ装置１２１の上側のリールユニット２０３との間には電源部２０５が設けられている。
【００２６】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２７】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２８】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニットの駆動を開始させる。リールユニットは、ストップスイッチ１４０によりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２９】
図３は電源部２０５のパネルの詳細を示す。
【００３０】
図３において、電源スイッチ２０５１は電源のオン／オフスイッチであり、電源部パイロットランプ２０５２は電源がオンのとき点灯するランプ（ＬＥＤ）であり、打ち止め有無スイッチ２０５３はメダルの払い出し枚数を制限する打ち止めを「有り」または「無し」に設定するスイッチである。打ち止め有無スイッチ２０５３は通常「無し」に設定されていて、頻繁に使用されることはない。設定キースイッチ２０５４は設定を有効にするためのスイッチであり、設定変更／リセットスイッチ２０５５は設定変更を有効にしたり、装置をリセットするためのスイッチであり、ＡＣ１００Ｖパイロットランプ２０５６は筐体の電源であるＡＣ１００Ｖが供給されていることを示すランプであり、ＡＣ電源出力及び電源ケーブル２０５７は電源を供給するためのものである。
【００３１】
図４は発明の実施の形態１に係るスロットマシンの機能ブロック図を示す。
図４において、２００、２０１はそれぞれＣＰＵを内蔵するメイン基板、サブ基板である。メイン基板２００はメダルの投入、払い出し、リールの制御、抽選処理などを行う。サブ基板２０１は演出表示などの処理を行う。２０２はスタートスイッチ１３４やストップスイッチ、ベットスイッチなどのスイッチからなる操作部である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。２０５は各部に電源を供給する電源部である。電源部２０５には、設定変更を禁止する時間帯の設定をオンオフする設定変更禁止時間帯スイッチ２０５ｂが設けられている。設定変更禁止時間帯スイッチとして電源部２０５のパネルに新たに専用のスイッチを設けてもよいが、電源部２０５のパネルにある既存のスイッチ、例えば打ち止めスイッチ２０５３、設定キースイッチ２０５４、設定変更／リセットスイッチ２０５５などを利用してもよい。あるいは、図４の設定変更禁止時間帯スイッチ２０５ｂに代えて操作部２０２のスイッチ類を利用してもよい。なお、設定変更禁止時間帯スイッチ２０５ｂに時刻を数値で入力するダイヤル式のスイッチなどを用い、時刻設定機能を併せ持たせてもよい。
【００３２】
２１０はリアルタイムクロックであり、時刻情報又は時刻情報と日付カレンダー情報を出力する。リアルタイムクロック２１０の出力により何らかの操作が行われた日付や曜日、時刻を判定することができる。２１２は設定変更を禁止する時間帯に関する情報を予め記憶している設定変更時間帯記憶部である。２１３は、設定変更を禁止する時間帯の設定がオンであるとき、すなわち設定変更時間帯記憶部２１２のテーブルを参照して設定変更の許可又は不許可を判断する場合に、当該判断を行う設定変更時間帯判断部である。なお、設定変更時間帯記憶部２１２はメイン基板２００と独立したメモリ（例えばＥＥＰＲＯＭ）で実現されてもよいし、メイン基板２００上のメモリで実現されてもよい。また、リアルタイムクロック２１０と設定変更時間帯判断部２１３はメイン基板２００と独立したハードウエアで実現されてもよいし、メイン基板２００のＣＰＵによりソフトウエアで実現されてもよい。
【００３３】
次に発明の実施の形態１に係る装置／方法について説明する。
前述のように、遊技機は、基本的に絵柄が揃ったときにメダルを払い出すものであるが、絵柄が揃うかどうかはメイン基板内部のコンピュータによる抽選の結果に従う。また、ビッグボーナス、レギュラーボーナス、小役などのさまざまな賞も内部のコンピュータによる抽選の結果に従う。抽選の処理の内容は所定の範囲内で設定可能である。設定変更は、遊技機の扉を開け、電源部２０５に設けられた設定キースイッチ２０５４をオンにし、設定変更スイッチ２０５５を押す等の所定の手順により実行される。
【００３４】
本発明の実施の形態１の要点は、設定変更を禁止できる時間帯を予め設定し、その時間帯を監視することで、営業中に行われる不正行為による設定変更を防止するものである。すなわち、通常、設定変更はホール営業前もしくは営業後に行われる。そこで、予め営業時間中に当たる時間帯を設定変更不可時間帯として設定し、その時間帯に設定変更が行われた場合には不正行為と判断し、明示的にエラー状態を表現するものである。
【００３５】
メイン基板２００のＣＰＵが実行する具体的な手順について、図５のフローチャートを参照して説明する。
【００３６】
Ｓ１：図５において、設定変更時刻の監視を行うために、電源部２０５の電源スイッチ２０５１をＯＮにする。これにより、メイン基板２００及びサブ基板２０１に通電が開始される。
【００３７】
Ｓ２：設定変更時間帯を設定するか否かを決定する。この設定は、例えば次のように行う。下記の（１）〜（４）のひとつ又は複数を選択できる。
（１）電源投入時に設定変更禁止時間帯スイッチ２０５ｂを有効又は設定キースイッチ２０５４をオンにしておく。設定変更禁止時間帯スイッチ２０５ｂが無効又は設定キースイッチ２０５４がオフであるときは設定変更時間帯に基づく許可又は不許可の判断を行わない。
（２）設定変更／リセットスイッチ２０５５をＯＮにしておく。設定変更／リセットスイッチ２０５５がＯＦＦのときは設定変更時間帯に基づく許可又は不許可の判断を行わない。
（３）又は打ち止めスイッチ２０５３をＯＮにしておく。打ち止めスイッチ２０５３がＯＦＦのときは設定変更時間帯に基づく許可又は不許可の判断を行わない。なお、後述のように打ち止めスイッチ２０５３で、設定変更時間帯の設定モードに入る又は入らないを切り替えるようにしてもよい。
（４）電源投入後一定時間内に操作部２０２のスイッチ、例えばスタートバー、ストップスイッチ、ベットスイッチの全部又は一部を特定の順序で押すことにより、設定変更時間帯に基づく許可又は不許可の判断を行うようにする。例えば、ストップスイッチ１４０の第１、第２又は第３ストップスイッチをこの順番で押すことにより設定を行ってもよい。さらに、操作部２０２の所定のスイッチを押しながら電源を投入することにより、設定変更時間帯に基づく許可又は不許可の判断を行うようにすることも可能である。
【００３８】
（２）乃至（４）のように既設のスイッチを利用して上記設定を行うことができる。あるいは（１）のように新たな設定用スイッチを増設することも勿論可能である。
【００３９】
本願発明の実施の形態１では、例えば営業時間中に設定変更ができないように監視するが、必要に応じてこの監視を解除する場合には、設定変更不可時間帯を設定しない、すなわち、本発明の実施の形態１による不正行為防止方法を実行しない設定をすることが可能である。また、一旦行った不正行為防止方法を行う設定を解除する場合には、電源をＯＦＦにしてから再設定をするか、所定のスイッチ操作を定める等により行ってもよい。
【００４０】
Ｓ３：設定変更時間帯を設定する。例えば、電源投入時に打ち止めスイッチ２０５３をＯＮにしておくと、設定変更時間帯の設定モードに入る。すなわち、設定変更時間帯記憶部２１２に設定変更不可時間帯を設定する。
【００４１】
設定変更許可時間帯を設定する手順は例えば次の通りである。
（１１）電源投入時に打ち止めスイッチ２０５３をONにしておくと、設定変更許可時間帯の設定モードに入る。上記（１）（２）（４）の例において、電源投入時に打ち止めスイッチ２０５３をOＦＦにしておくと設定変更許可時間帯の設定モードに入らない。この場合、記憶部２１２に既に記憶されているテーブルに基づいて設定変更時間帯判断部２１３で判断される。
（１２）設定変更許可時間帯の設定モードに入ったら、スタートレバー１３４を押すことにより当該時間帯の開始時間を変更する（デジタル時計の設定と同様）。設定内容は演出表示部２０４の液晶表示装置に表示される。あるいは、何時かに応じて表示部２０４のランプが所定回数点滅する。ストップスイッチ１４０を押すことにより開始時間を変更してもよい。このとき、第１、第２，第３ストップスイッチをそれぞれ日（曜日）、時、分の設定スイッチにしてもよい。
（１３）スタートレバー１３４を再度押すことにより当該時間帯の終了時間を変更する。変更のやり方は（１２）の場合と同様である。
（１４）スタートレバーを再度押すことにより本設定変更手順を終了する。
【００４２】
（１１）乃至（１４）は一例であり、本発明はこれに限定されないのは言うまでもない。
なお、設定変更時間帯に基づく許可又は不許可の判断を行うが、設定変更許可時間帯の変更をスキップする（記憶部２１２に既に記憶されているテーブルに基づいて判断する）ようにしてもよく、図５のＳ２とＳ３の間に設定変更許可時間帯の変更を行うかどうかを判定する処理を設けてもよい。
【００４３】
図６は、記憶部２１２に既に記憶されている設定変更時間帯テーブル、すなわち設定変更不可時間帯及び設定変更可能時間帯の設定の一例を示す概略図である。通常、設定変更はホールの営業開始前又は営業終了後に行われる。そこで、図６に示すように、ホールの営業中に当たるホールの開店時間及びその前後を設定変更不可時間帯Ａに設定し、それ以外の時間を設定変更可能時間帯Ｂに設定する。図４に示すように、メイン基板にはタイマーとして機能するリアルタイムクロック（ＲＴＣ）２１０が接続されている。リアルタイムクロック２１０は、一度時刻を設定すれば、電源がＯＦＦになった場合にもバックアップ電源（図示しない）からの電源供給で時間を刻み続けることができるため、電源をＯＦＦ−ＯＮしても現在時刻を再設定する必要がなく、リアルタイムの時間管理に適している。
【００４４】
Ｓ４：設定変更要求、具体的には図３の設定キースイッチ２０５４のオン信号を受信したか否かを判断する。これまで、メイン基板２００が設定キースイッチ２０５４のオン信号を受信すれば、必ず設定変更状態に移行していた。そのため、ホール営業中の不正行為による設定変更が行われたとしても、通常の設定変更と同様な動作を行っていた。しかしながら、本願発明では、設定変更要求、この例では設定キースイッチ２０５４からのオン信号を受けた時間帯を監視する。
【００４５】
Ｓ５：受信した設定変更要求が設定変更不可時間帯Ａか、設定変更可能時間帯Ｂかを判断する。設定変更要求を受信した時刻はリアルタイムクロック２１０により特定できるので、この時刻と設定変更時間帯記憶部２１２で予め設定された時刻とを設定変更時間帯判断部２１３で比較する。
【００４６】
Ｓ６：上記時刻が設定変更可能時間帯Ｂの範囲内であれば、正規な設定変更処理であると判断して設定変更時の処理を行う。
【００４７】
Ｓ７：これに対して、上記時刻が設定変更不可時間帯Ａの範囲内であれば、不正な設定変更処理であると判断してエラー処理を行う。例えば、サブ基板２０１へコマンドを送り、演出表示部２０４のブザーを吹鳴させるとともに、ランプを点滅させる。この状態はリセットスイッチ２０５５が押されるまで継続する。サブ基板２０１によるエラー報知とともに、あるいはこれに代えてメイン基板２００で遊技を受け付けないように処理してもよい。このようにすると遊技機がフリーズした状態になり、遊技の続行は不可能になる。このようにすれば不正行為を強く躊躇させると思われ、不正行為防止の点で効果的である。
【００４８】
なお、上述した発明の実施の形態では、リアルタイムクロック２１０、設定変更時間帯記憶部２１２及び設定変更時間帯判断部２１３等をメイン基板２００に設けた場合について説明したが、これらをサブ基板２０１に設けるようにしてもよい。
【００４９】
発明の実施の形態１に係る遊技機及び不正行為防止方法によれば、設定変更を禁止する時間帯を設定し、設定変更が行われる時刻を監視することにより、予め定められた適正な時間帯においてのみ設定変更を行うようにする。これにより通常設定変更が行われることのない営業時間中に、不正に設定変更操作がなされた場合には当該設定変更を許可しないとともに、当該不正行為があったことをブザー等で報知することができる。これにより不正行為を効果的に防止することができる。
【００５０】
発明の実施の形態２．
発明の実施の形態１では、設定変更時間帯の設定をリアルタイムクロック２１０を用いてリアルタイムな監視を行ったが、発明の実施の形態２では、リアルタイムクロック２１０に時刻機能とともに、曜日や年月日に関するカレンダー機能を持たせる。そして、内部動作に関する設定変更の可能又は不可能に係る情報として、設定変更時間帯記憶部２１２に時刻とともに曜日や年月日に関する情報も記憶させる。設定変更時間帯判断部２１３は時刻とともに曜日や年月日についても比較判断する。このように構成することにより、設定変更不可時間帯の情報を曜日、年月日などの情報を含むカレンダー情報と連動させることができ、これによって長期的な設定変更時間帯の監視が可能となる。
【００５１】
図７は、１週間単位で設定変更時間帯を設定する場合を示す図である。図において、設定変更不可時間帯Ａ及び設定変更可能時間帯Ｂを１週間単位で管理し、例えば月曜日が定休日の場合、ホール閉店時間と同様に設定変更可能時間帯Ｂとして設定することができる。この場合、月曜日全体を設定変更可能時間帯Ｂとして設定することも、その一部の時刻を設定変更可能時間帯Ｂとして設定することもできる。また、定休日以外の曜日全体を設定変更不可時間帯Ａとするようにしてもよい。さらに、図８は、１ヶ月単位で設定変更時間帯を設定する場合を示す図である。図において、設定変更不可時間帯Ａ及び設定変更可能時間帯Ｂを１ヶ月単位で管理し、例えば月曜日が定休日の場合、ホール閉店時間と同様に設定変更可能時間帯Ｂとして設定することができる。定休日以外の曜日全体を設定変更不可時間帯Ａとするようにしてもよい。また、図８における３１日は臨時休業の日であり、設定変更可能時間帯Ｂ（図中、「可※」で示す）として設定することができる。このような１ヶ月単位で設定変更時間帯の設定を１年単位又はそれ以上の年、月、日で行うことも可能である。
【００５２】
なお、上述した発明の実施の形態２では、休日を設定変更可能時間帯Ｂとして設定する場合について説明したが、ホールの状況等に応じて、適宜休日を設定変更不可時間帯Ａと設定することも勿論可能である。
【００５３】
上述した発明の実施の形態１、２では設定変更不可時間帯Ａにおいて設定変更することは不可能であったが、通常の手順とは異なる特別な設定変更手順（例えば設定変更しようとすると必ずエラー報知されてリセット操作が要求される、あるいは特定の複雑な処理（左ボタン、中ボタン、スタートレバー、設定変更スイッチ・・・を順に押下するなど））に従うとき、特別に設定変更を行うようにしてもよい。これについては発明の実施の形態３の説明を参照されたい。
【００５４】
発明の実施の形態３．
発明の実施の形態１、２は、予め設定変更可能な時間帯や曜日又は設定変更不可能な時間帯や曜日を設けるものであった。このやり方は時間帯を固定的・定型的とすることができる。これに対し発明の実施の形態３は、電源投入時又は設定変更時にタイマーをセットし、タイマーの動作開始から予め定められた一定時間を設定変更不可能時間帯とするものである。このやり方は設定変更の間に一定時間の間隔を設けるものであり、営業時間と切り離して時間帯を設定でき、これを可変的にすることができる。
【００５５】
図９は発明の実施の形態３に係るスロットマシンの機能ブロック図を示す。この図は図４に対応するものであり、図中において同一の符号は同一あるいは相当部分を示す。同一符号部分についての説明は割愛する。
【００５６】
図９において、２１４は設定変更と設定変更の間に一定時間の間隔を設けるためのタイマーである。典型的には、タイマー２１４には予め一定時間が設定されていて、起動から当該一定時間経過後にタイマー２１４の出力がゼロになる。これをもって前回の設定変更から一定時間が経過したことを知ることができる。タイマー２１４は、図４の設定変更時間帯記憶部２１２に相当するものといえる。したがって、設定変更時間帯判断部２１３は、タイマー２１４の出力に基づき設定変更を禁止する時間帯であるかどうか（具体的には出力がゼロかどうか）判定し、その結果に従って設定変更を行わせる。
【００５７】
２１５は設定変更用特別手順記憶部である。設定変更用特別手順記憶部２１５には、設定変更不可能時間帯においても特別に設定変更を行うための特別の手順（左ボタン、中ボタン、スタートレバー、設定変更スイッチ・・・を順に押下するなど）が記憶されている。この特別な手順は遊技機の操作部２０２から入力することができるので、ホールごとに特別な手順を定め、事情に通じた者（例えばホールの店長）だけが設定変更を行えるようにできる。
【００５８】
この発明の実施の形態に関する具体的な手順について、図１０のフローチャートを参照して説明する。電源部２０５の電源スイッチ２０５１をＯＮにする。これにより、メイン基板２００及びサブ基板２０１に通電が開始され、設定変更時刻の監視処理が開始される。
【００５９】
Ｓ１０：設定変更要求、具体的には図３の設定キースイッチ２０５４のオン信号を受信したか否かを判断する。例えば設定キースイッチ２０５４からのオン信号を受けた時間帯を監視する。
【００６０】
Ｓ１１：受信した設定変更要求が設定変更不可時間帯Ａか、設定変更可能時間帯Ｂかを判断する。この例を図１２に示す。図１２（ａ）はホール開店準備中の電源投入時を基準として時間帯が設定される場合を示す。タイマー２１４がホール開店時間よりも少し長く設定されるので、ホール開店中は設定変更不可時間帯Ａに設定される。図１２（ｂ）は同図（ａ）に加えて、ホール閉店後の通常の設定変更を基準として時間帯が設定される場合を示す。この場合、ホール閉店後であっても設定変更不可時間帯Ａに設定される。設定変更時間帯判断部２１３は、設定変更要求を受信したときにタイマー２１４の出力を調べ、これがゼロであれば設定変更可能時間帯Ｂと判定し、そうでなければ設定変更不可時間帯Ａと判定する。
【００６１】
Ｓ１２：上記時刻が設定変更可能時間帯Ｂの範囲内であれば、正規な設定変更処理であると判断して設定変更時の処理を行う。
【００６２】
Ｓ１３：タイマー２１４をリセットし、設定変更不可時間帯Ａを設定する。
【００６３】
Ｓ１４：これに対して、上記時刻が設定変更不可時間帯Ａの範囲内であれば、不正な設定変更処理であると判断してエラー処理を行う。
【００６４】
Ｓ１５：この場合において操作がなされたら、これを設定変更用特別手順記憶部２１５に記憶された特別手順と比較する。両者が一致したら特別に設定変更を行う。例えば、左ボタン、中ボタン、スタートレバー、設定変更スイッチ・・・を順に押下するなど。
【００６５】
次に図１１を参照して電源投入時のタイマー２１４の設定手順を説明する。
【００６６】
Ｓ２０：電源投入後において、メイン基板２００のメモリ（ＲＡＭ）がバックアップされていたかどうか判断する。バックアップされていなければ（Ｓ２０でＮＯ）、タイマー２１４を初期化する必要があるのでステップＳ２２に進む。
【００６７】
Ｓ２１：タイマー２１４の出力がゼロであるかどうか判断する。ゼロであれば（Ｓ２１でＹＥＳ）タイマー２１４を初期化する必要があるのでステップＳ２２に進む。ゼロでなければ（Ｓ２１でＮＯ）その設定を生かすようにタイマー２１４を初期化しない。
【００６８】
Ｓ２２：タイマー２１４を初期化する。初期化により予め定められた時間のカウントを開始する。
【００６９】
なお、上述した発明の実施の形態では、設定変更時間帯判断部２１３、タイマー２１４、設定変更用特別手順記憶部２１５をメイン基板２００に設けた場合について説明したが、これらをサブ基板２０１に設けるようにしてもよい。
【００７０】
発明の実施の形態３によれば、タイマーにより設定可能又は不可能を判定するのでその時間帯は固定的でなくなる。ホールの開店又は閉店にかかわらず設定変更の間隔を一定時間以上空けることができ、頻繁な設定変更を防止できる。
【００７１】
しかも、特別手順を予め設定しておき、特別手順により設定変更不可時間帯においても設定変更が可能になるので、やむを得ない場合に設定変更不可時間帯でも設定変更を可能にする。特別手順を通常手順よりも複雑にすることによりセキュリティーの向上も併せて実現できる。
【００７２】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００７３】
【図１】前扉を閉めた状態を示すスロットマシンの正面図である。
【図２】前扉を１８０度開いた状態を示すスロットマシンの正面図である。
【図３】スロットマシンの電源部のパネルの詳細図である。
【図４】発明の実施の形態１に係るスロットマシンの機能ブロック図を示す。
【図５】発明の実施の形態１に係るスロットマシンの動作フローチャートを示す。
【図６】発明の実施の形態１に係るスロットマシンにおける設定変更不可時間帯の１つの設定例を示す。
【図７】発明の実施の形態２に係る１週間単位で設定変更時間帯を設定する場合を示す図である。
【図８】発明の実施の形態２に係る１ヶ月単位で設定変更時間帯を設定する場合を示す図である。
【図９】発明の実施の形態３に係るスロットマシンの機能ブロック図を示す。
【図１０】発明の実施の形態３に係るスロットマシンの動作フローチャートを示す。
【図１１】発明の実施の形態３に係るスロットマシンの電源投入時の動作フローチャートを示す。
【図１２】発明の実施の形態３に係るスロットマシンにおける設定変更不可時間帯の設定例を示す。
【符号の説明】
【００７４】
１        メダルセレクタ
１００    スロットマシン
１２０    スロットマシン本体
１２１    ホッパ装置
１２２    ホッパタンク
１３０    前扉
１３１    ゲーム表示部
１３２    メダル投入口
１３３    リジェクトボタン
１３４    スタートボタン
１３５    払出し口
１３６    導出路
２００    メイン基板
２０１    サブ基板
２０２    操作部
２０３    リールユニット
２０４    演出表示部
２０５    電源部
２０５ｂ  設定変更禁止時間帯スイッチ
２１０    リアルタイムクロック
２１２    設定変更時間帯記憶部
２１３    設定変更時間帯判断部
２１４    タイマー
２１５    設定変更用特別手順記憶部
２０５１  電源スイッチ
２０５２  電源部パイロットランプ
２０５３  打ち止め有無スイッチ
２０５４  設定キースイッチ
２０５５  設定変更／リセットスイッチ
２０５６  ＡＣ１００Ｖパイロットランプ
２０５７  ＡＣ電源出力及び電源ケーブル
【図１】
2005066305.tif 000003
【図２】
2005066305.tif 000004
【図３】
2005066305.tif 000005
【図４】
2005066305.tif 000006
【図５】
2005066305.tif 000007
【図６】
2005066305.tif 000008
【図７】
2005066305.tif 000009
【図８】
2005066305.tif 000010
【図９】
2005066305.tif 000011
【図１０】
2005066305.tif 000012
【図１１】
2005066305.tif 000013
【図１２】
2005066305.tif 000014